【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
生体又は物体の接触位置を所定の検出範囲内で検出する検出ステップと、
上記検出ステップで検出される接触位置又は接触位置の変化に対応して、特定の入力を受け付ける入力ステップと、
上記検出ステップで接触位置の所定量以上の変化がある毎に、少なくとも上記検出範囲の近傍を振動させる振動ステップとを有する
入力方法。
【請求項２】
請求項１記載の入力方法において、
上記検出ステップでの接触検出は、上記所定の検出範囲内に配置した１つ又は複数の送信電極と、１つ又は複数の受信電極との間を伝わる信号の接触による強度変化で検出する
入力方法。
【請求項３】
請求項２記載の入力方法において、
上記検出ステップでの接触検出として、複数箇所の同時接触を検出する
入力方法。
【請求項４】
請求項２記載の入力方法において、
上記検出ステップでの接触検出を行う範囲を、環状の範囲とした
入力方法。
【請求項５】
請求項１記載の入力方法において、
上記環状の接触検出を行う範囲の内側での操作を、上記検出ステップとは別の検出ステップで検出する
入力方法。
【請求項６】
請求項５記載の入力方法において、
上記２つの検出ステップでの検出パターンに応じて、上記入力ステップで入力を受け付ける機能を変化させる
入力方法。
【請求項７】
請求項２記載の入力方法において、
上記検出ステップでの接触検出を行う範囲を、直線状の範囲とした
入力方法。
【請求項８】
請求項７記載の入力方法において、
上記直線状の検出範囲は、文字又は図形の表示を行う表示手段のいずれかの辺に隣接して配置した
入力方法。
【請求項９】
請求項８記載の入力方法において、
上記検出ステップでの接触の検出により、上記表示手段での表示に関する機能の入力を受け付ける
入力方法。
【請求項１０】
請求項９記載の入力方法において、
上記検出ステップでほぼ同時に検出した２箇所の接触位置が、相互に接近するように変化した場合と、相互に離れるように変化した場合に、上記表示手段での表示の倍率又は縮尺を、一方又は他方に変化させる機能の入力を受け付ける
入力方法。
【請求項１１】
生体又は物体の接触位置を所定の検出範囲内で検出する接触検出センサと、
上記接触検出センサで検出した接触位置又は接触位置の変化に対応して、所定の機能の入力を受け付ける入力処理を行い、上記接触位置の所定量以上の変化がある毎に、駆動信号を出力する制御手段と、
上記制御手段が出力する駆動信号により、少なくとも上記接触検出センサの配置位置の近傍を振動させるアクチュエータとを備えた
入力装置。
【請求項１２】
請求項１１記載の入力装置において、
上記接触検出センサとして、
信号源からの特定信号が供給される１つ又は複数の送信電極と、上記送信電極と近接して配置されて相互に絶縁された１つ又は複数の受信電極とを、上記検出範囲内に所定状態で配置し、
上記制御手段は、上記受信電極に得られる上記特定信号の信号強度に基づいて、接触位置を検出する構成とした
入力装置。
【請求項１３】
請求項１２記載の入力装置において、
上記制御手段は、上記特定信号の信号強度に基づいて、複数箇所の同時接触を検出するようにした
入力装置。
【請求項１４】
請求項１２記載の入力装置において、
上記接触検出センサの検出範囲を、環状又は直線状の範囲とし、
上記送信電極と上記受信電極のいずれか一方の電極は、上記環状又は直線状の検出範囲に環状又は直線状に配置された１つの電極とし、他方の電極は、上記一方の電極とほぼ直交する位置に配置された複数の電極とした
入力装置。
【請求項１５】
請求項１２記載の入力装置において、
上記接触検出センサの検出範囲を、環状又は直線状の範囲とし、
上記環状又は直線状の検出範囲に、複数の上記送信電極と複数の上記受信電極とを交互に順に配置した
入力装置。
【請求項１６】
請求項１１記載の入力装置において、
上記接触検出センサの検出範囲を環状の範囲とし、この環状の範囲の内側に、押しボタン型のスイッチを配置した
入力装置。
【請求項１７】
請求項１６記載の入力装置において、
上記制御手段は、上記接触検出センサでの接触の検出と、上記押しボタン型のスイッチの操作の検出の、２つの検出の検出パターンに応じて、入力を受け付ける機能を変化させる
入力装置。
【請求項１８】
請求項１１記載の入力装置において、
上記接触検出センサの検出範囲を直線状の範囲とし、
文字又は図形の表示を行う表示手段のいずれかの辺に隣接して、この直線状の検出範囲を配置した
入力装置。
【請求項１９】
請求項１８記載の入力装置において、
上記制御手段は、上記接触検出センサの接触の検出により、上記表示手段での表示に関する機能の入力を受け付ける
入力装置。
【請求項２０】
請求項１９記載の入力装置において、
１つ又は複数の接触検出センサでほぼ同時に検出した２箇所の接触位置が、相互に接近するように変化した場合と、相互に離れるように変化した場合に、上記表示手段での表示の倍率又は縮尺を、一方又は他方に変化させる機能の入力を受け付ける
入力装置。
【手続補正２】
【補正対象書類名】明細書
【補正対象項目名】０００８
【補正方法】変更
【補正の内容】
【０００８】
【課題を解決するための手段】
本発明の入力方法は、生体又は物体の接触位置を所定の検出範囲内で検出する検出ステップと、この検出ステップで検出される接触位置又は接触位置の変化に対応して、特定の入力を受け付ける入力ステップと、検出ステップで接触位置の所定量以上の変化がある毎に、少なくとも検出範囲の近傍を振動させる振動ステップとを有するものである。


【手続補正３】
【補正対象書類名】明細書
【補正対象項目名】０００９
【補正方法】変更
【補正の内容】
【０００９】
本発明の入力装置は、生体又は物体の接触位置を所定の検出範囲内で検出する接触検出センサと、接触検出センサで検出した接触位置又は接触位置の変化に対応して、所定の機能の入力を受け付ける入力処理を行い、接触位置の所定量以上の変化がある毎に、駆動信号を出力する制御手段と、制御手段が出力する駆動信号により、少なくとも上記接触検出センサの配置位置の近傍を振動させるアクチュエータとを備えたものである。


【手続補正４】
【補正対象書類名】明細書
【補正対象項目名】００１０
【補正方法】変更
【補正の内容】
【００１０】
本発明によると、生体又は物体の接触をセンサで検出した位置又はその位置の変化に応じて、特定の入力を受け付けるので、平面的な接触検出センサを使用して入力の受け付けが可能になる。この場合、接触位置の所定量以上の変化がある毎に、少なくとも検出範囲の近傍を振動させることで、センサに接触したユーザ（又はセンサに接触した物体を介してユーザ）にクリック感に相当する振動が伝わり、あたかもクリック感のあるダイヤルを回転させている場合と同様の感触が得られる。


【手続補正５】
【補正対象書類名】明細書
【補正対象項目名】００９５
【補正方法】変更
【補正の内容】
【００９５】
【発明の効果】
本発明によると、生体又は物体の接触をセンサで検出した位置又はその位置の変化に応じて、特定の入力を受け付けるので、平面的な接触検出センサを使用して入力の受け付けが可能になる。そして、センサに接触する位置の所定量以上の変化がある毎に、少なくとも検出範囲の近傍を振動させることで、センサに接触したユーザ（又はセンサに接触した物体を介してユーザ）にクリック感に相当する振動が伝わり、あたかもクリック感のあるダイヤルを回転させている場合と同様の感触が得られ、良好な操作性が得られる。